(57)【要約】      （修正有）【課題】画像の同一性確認に有用な画像認証装置、コンピュータをそのような画像認証装置として動作させる画像認証プログラム、および画像の同一性確認に有用な画像データファイルを提供する。【解決手段】画像を構成する画素値の集合を表した画像データを取得する画像取得部と、画像データの同一性を確認するための認証データを、画素値の集合を所定のアルゴリズムで処理することによって作成する認証データ作成部と、認証データを記述した文字列と上記画像とが並んだ文字列添付画像を表す文字列添付画像データを作成する文字列添付部と、文字列添付画像データを出力装置に送ってその文字列添付画像をプリントさせる文字列添付画像出力部とを備えている。【選択図】        図４
2006287466.tif 000002
【特許請求の範囲】
【請求項１】
画像を構成する画素値の集合を表した画像データを取得する画像取得部と、
前記画像取得部で取得された画像データの同一性を確認するための認証データを、該画像データが表す画素値の集合を所定のアルゴリズムで処理することによって作成する認証データ作成部と、
前記認証データ作成部で作成された認証データを記述した文字列と前記画像とが並んだ文字列添付画像を表す文字列添付画像データを作成する文字列添付部と、
前記文字列添付部で作成された文字列添付画像データを、画像データを受けてその画像データに基づいた画像をプリントする出力装置に送って該文字列添付画像をプリントさせる文字列添付画像出力部とを備えたことを特徴とする画像認証装置。
【請求項２】
前記画像データが、前記画素値による第１の色空間と、該第１の色空間とは別の第２の色空間との相互間における色変換関係を定義したプロファイルが添付されたものであり、
前記画像取得部で取得された画像データに添付されたプロファイルに、前記認証データ作成部で作成された認証データを書き込む認証データ書込部と、
前記認証データ書込部で認証データがプロファイルに書き込まれた画像データを記録媒体に格納する認証付データ格納部とを備えたことを特徴とする請求項１記載の画像認証装置。
【請求項３】
前記プロファイルが、ＩＣＣプロファイルであるとともに、所定のタグに前記認証データが記載されているものであることを特徴とする請求項２記載の画像認証装置。
【請求項４】
前記認証データが、ＭＤ５処理によって前記画素値の集合から得られる認証値であることを特徴とする請求項２記載の画像認証装置。
【請求項５】
コンピュータに組み込まれて該コンピュータ上に、
画像を構成する画素値の集合を表した画像データを取得する画像取得部と、
前記画像取得部で取得された画像データの同一性を確認するための認証データを、該画像データが表す画素値の集合を所定のアルゴリズムで処理することによって作成する認証データ作成部と、
前記認証データ作成部で作成された認証データを記述した文字列と前記画像とが並んだ文字列添付画像を表す文字列添付画像データを作成する文字列添付部と、
前記文字列添付部で作成された文字列添付画像データを、画像データを受けてその画像データに基づいた画像をプリントする出力装置に送って該文字列添付画像をプリントさせる文字列添付画像出力部とを構成することを特徴とする画像認証プログラム。
【請求項６】
画像を構成する画素値の集合を表した画像データが格納された画像部と、
前記画素値による第１の色空間と、該第１の色空間とは別の第２の色空間との相互間における色変換関係を定義したプロファイルが格納され、該プロファイルに、前記画像データの同一性を確認するための、該画像データが表す画素値の集合が所定のアルゴリズムによって処理されることで作成された認証データが書き込まれているプロファイル部とを有することを特徴とする画像データファイル。
【請求項７】
前記プロファイルが、ＩＣＣプロファイルであるとともに、所定のタグに前記認証データが記載されているものであることを特徴とする請求項６記載の画像データファイル。
【請求項８】
前記認証データが、ＭＤ５処理によって前記画素値の集合から得られる認証値であることを特徴とする請求項６記載の画像データファイル。
【発明の詳細な説明】
【技術分野】
【０００１】
本発明は、画像認証装置、画像認証プログラム、および画像データファイルに関する。
【背景技術】
【０００２】
従来より、印刷の分野において、被写体を撮影した撮影画像を取得する撮影工程と、撮影画像を使って印刷物のイメージを編集する編集工程と、編集した画像を印刷する印刷工程とを経て印刷物を生成することが広範に行われている。また、近年では、撮影工程においてデジタルカメラが広く用いられてきており、撮影工程で得られる撮影画像のデジタル化に伴って、後段の編集工程や印刷工程での処理も変化してきている。
【０００３】
従来の各工程では、例えば、撮影工程で撮影画像がフィルムに記録され、編集工程でフィルムの撮影画像がスキャナなどで荒く読み取られて印刷物のページ上における画像配置などが編集される。そして、編集された画像配置を表すデータとフィルムが印刷工程に渡され、印刷工程ではフィルムの撮影画像が高解像度で読み取られて、撮影画像の色が印刷に好適な色となるように色変換される。更に、印刷工程では、色変換後の高解像度の撮影画像がページ上に配置され、そのようなページの印刷物が作成される。
【０００４】
これに対し、近年のデジタル化後の各工程では、例えば、撮影工程で撮影画像が撮影画像データとして記録媒体に記録され、編集工程でその撮影画像データに色変換が施されて編集者のイメージに合致した色の撮影画像が作成される。そのような色変換後の撮影画像は、ページの編集に用いられると共に、後の再利用のためにコピーが保存される。編集されたページのデータは印刷工程に送られ、印刷工程では、撮影画像の色が印刷に好適な色となるように再度色変換され、その再度の色変換が施された撮影画像を有するページのデータに従って印刷物が印刷される。このようなデジタル化によって、編集工程で撮影画像の再利用が可能となるというようなメリットが生じている（例えば特許文献１参照）。また、編集工程での色変換や色の確認は必須ではなく、編集者が選択可能な事項であるため、印刷工程での再度の色変換に際して編集者の意図と印刷者の意図が食い違うことがあり得、そのような食い違いによるトラブルを回避するため、ページのデータを記録した記録媒体などに、色変換などに関する情報が記載されたラベルを貼って編集者の意図を後段の工程に明確に伝えることが推奨されている（例えば非特許文献１参照）。
【特許文献１】特開平９−９０５９９号公報
【非特許文献１】ＲＧＢデジタル画像規格標準化研究会「印刷入稿のためのＲＧＢ画像運用ガイドブック」、第７頁
【発明の開示】
【発明が解決しようとする課題】
【０００５】
しかし、このように後段への意図の伝達が工夫されていたとしても、後段では、送られてきたページのデータや撮影画像データが、伝達されてきた意図のベースとなったものであるか否かを確認する必要がしばしば生じる。また、そのような確認は人手に頼らなければならないのが現状であるため、印刷の現場では、このような確認作業にかなりの時間が割かれて時間の無駄となっている。
【０００６】
ページや撮影画像のデータには、そのページや撮影画像を編集段階でプリントアウトしたものが色の確認用として添付されることもあるが、そのプリントアウトされたものとデータとの対応確認も上記と同様に必要となる。
【０００７】
更に、画像データは、ファイル形式などの変更によって、画像の中身は全く同一であるにもかかわらずファイル名称などが変更される場合もあり、このような場合に画像の中身の同一性を確認することは困難である。
【０００８】
本発明は上記事情に鑑み、画像の同一性確認に有用な画像認証装置、コンピュータをそのような画像認証装置として動作させる画像認証プログラム、および画像の同一性確認に有用な画像データファイルを提供することを目的とする。
【課題を解決するための手段】
【０００９】
上記目的を達成する本発明の画像認証装置は、
画像を構成する画素値の集合を表した画像データを取得する画像取得部と、
上記画像取得部で取得された画像データの同一性を確認するための認証データを、その画像データが表す画素値の集合を所定のアルゴリズムで処理することによって作成する認証データ作成部と、
上記認証データ作成部で作成された認証データを記述した文字列と上記画像とが並んだ文字列添付画像を表す文字列添付画像データを作成する文字列添付部と、
上記文字列添付部で作成された文字列添付画像データを、画像データを受けてその画像データに基づいた画像をプリントする出力装置に送ってその文字列添付画像をプリントさせる文字列添付画像出力部とを備えたことを特徴とする。
【００１０】
ここで、「画素値の集合を表した画像データ」とは、それらの画素値に一意的に変換可能な画像データであればデータ形式を問うものではなく、そのような画素値の集合を直接に表したビットマップデータであってもよく、画素値の集合が圧縮されてなる圧縮データであってもよい。
【００１１】
本発明の画像認証装置によれば、画像に並んで、その画像の画素値集合を認証する認証データの文字列がプリントされるので、その画像が、例えば元の画像データが記録された記録媒体などと共に送られたときに、送り先では、画像データから認証データを作成して文字列と比較することによって同一性を容易に確認することができる。
【００１２】
また、本発明の画像認証装置は、
「  上記画像データが、上記画素値による第１の色空間と、その第１の色空間とは別の第２の色空間との相互間における色変換関係を定義したプロファイルが添付されたものであり、
上記画像取得部で取得された画像データに添付されたプロファイルに、上記認証データ作成部で作成された認証データを書き込む認証データ書込部と、
上記認証データ書込部で認証データがプロファイルに書き込まれた画像データを記録媒体に格納する認証付データ格納部とを備えた」
という形態が好適である。
【００１３】
このような好適な形態の画像認証装置によれば、画像データに認証データが付くので、プリントされた画像とその画像データとが送られた送り先では容易に画像の同一性を確認することができる。また、認証データは、画像データに添付されたプロファイルに書き込まれるので、画像データのファイル形式の変更などを経ても認証データの欠落が回避されると期待される。
【００１４】
また、本発明の画像認証装置において、上記プロファイルが、ＩＣＣプロファイルであるとともに、所定のタグに上記認証データが記載されているものであることが好ましい。ＩＣＣ（Ｉｎｔｅｒｎａｔｉｏｎａｌ  Ｃｏｌｏｒ  Ｃｏｎｓｏｒｔｉｕｍ）が提唱しているＩＣＣプロファイルには、このような認証データの記載に利用可能なタグが用意されており、このようにタグに認証データが記載されていることで、画像データのファイル形式が変更された場合であっても認証データがそのまま維持される。
【００１５】
また、本発明の画像認証装置において、上記認証データが、ＭＤ５処理によって上記画素値の集合から得られる認証値であることも好ましい。ＭＤ５処理によって得られる認証値は、１６個の１６進数からなる数値であって、元の画像データの極一部が改変された場合であっても数値に変化が生じるので、画像の同一性確認に適している。
【００１６】
上記目的を達成する本発明の画像認証プログラムは、
コンピュータに組み込まれてそのコンピュータ上に、
画像を構成する画素値の集合を表した画像データを取得する画像取得部と、
上記画像取得部で取得された画像データの同一性を確認するための認証データを、その画像データが表す画素値の集合を所定のアルゴリズムで処理することによって作成する認証データ作成部と、
上記認証データ作成部で作成された認証データを記述した文字列と上記画像とが並んだ文字列添付画像を表す文字列添付画像データを作成する文字列添付部と、
上記文字列添付部で作成された文字列添付画像データを、画像データを受けてその画像データに基づいた画像をプリントする出力装置に送ってその文字列添付画像をプリントさせる文字列添付画像出力部とを構成することを特徴とする。
【００１７】
本発明の画像認証プログラムによれば、本発明の画像認証装置を構成する要素がコンピュータによって容易に実現される。
【００１８】
なお、本発明にいう画像認証プログラムについては、ここではその基本形態のみを示すのにとどめるが、これは単に重複を避けるためであり、本発明にいう画像認証プログラムには、上記の基本形態のみではなく、前述した画像認証装置の各形態に対応する各種の形態が含まれる。
【００１９】
また、本発明の画像認証プログラムがコンピュータ上に構成する認証データ作成部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【００２０】
上記目的を達成する本発明の画像データファイルは、
画像を構成する画素値の集合を表した画像データが格納された画像部と、
上記画素値による第１の色空間と、その第１の色空間とは別の第２の色空間との相互間における色変換関係を定義したプロファイルが格納され、そのプロファイルに、上記画像データの同一性を確認するための、その画像データが表す画素値の集合が所定のアルゴリズムによって処理されることで作成された認証データが書き込まれているプロファイル部とを有することを特徴とする。
【００２１】
本発明の画像データファイルによれば、プロファイル部に認証データが書き込まれているので、この画像データファイル中の画像の同一性を容易に確認することができる。
【００２２】
また、本発明の画像データファイルは、上記プロファイルが、ＩＣＣプロファイルであるとともに、所定のタグに上記認証データが記載されているものであることが好ましい。ＩＣＣプロファイルには、このような認証データの記載に利用可能なタグが用意されており、このようにタグに認証データが記載されていることで、画像データのファイル形式が変更された場合であっても認証データがそのまま維持される。
【００２３】
また、本発明の画像データファイルは、上記認証データが、ＭＤ５処理によって上記画素値の集合から得られる認証値であることも好ましい。ＭＤ５処理によって得られる認証値は、元の画像データのほんの一部が改変された場合であっても数値に変化が生じるので、画像の同一性確認に適している。
【発明の効果】
【００２４】
以上説明したように、本発明の画像認証装置、画像認証プログラム、および画像データファイルは、画像の同一性確認に有用である。
【発明を実施するための最良の形態】
【００２５】
以下図面を参照して本発明の実施の形態を説明する。
【００２６】
図１は、本発明の一実施形態が適用される画像プリントシステムを示す図である。
【００２７】
この画像プリントシステムは、パーソナルコンピュータ１００と、デジタルカメラ３００と、プリンタ４００とで構成されており、上述した編集行程などで利用されるシステムである。プリンタ４００は、本発明にいう出力装置の一例に相当する。
【００２８】
デジタルカメラ３００には、撮影で得られた撮影画像を表す画像データが記憶されており、その画像データはパーソナルコンピュータ１００に取り込まれる。
【００２９】
パーソナルコンピュータ１００では、その画像データに基づいて、画像の色変換や、その画像が配置された印刷物のページ編集などが行われる。なお画像データは、デジタルカメラ３００から入手される以外に、ＣＤ−Ｒ（Ｃｏｍｐａｃｔ  Ｄｉｓｃ  Ｒｅｃｏｒｄａｂｌｅ）やＭＯ（光磁気）ディスク等といった記憶媒体が用いられて入手されてもよい。画像データのファイル形式としては、例えばＢＴＭファイルやＴＩＦＦファイルやＪＰＥＧファイルなど様々な形式が存在するが、いずれも、画素値の集合からなる画像を表している。また、本明細書では、画像データにはＩＣＣプロファイルが添付された状態で一体のデータファイルにまとめられているものとして説明する。このＩＣＣプロファイルには、画像データの作成や画像データによる画像再現の際における画素値と色との対応関係を表したものであり、画素値の色空間（例えばＲＧＢ色空間やＣＭＹＫ色空間）と、画像の色を客観的に表した色空間（例えばＬａｂ色空間やＸＹＺ色空間やｓＲＧＢ色空間）との相互間における色変換関係を定義したものとなっている。
【００３０】
プリンタ４００は、パーソナルコンピュータ１００によって制御されて画像の出力を行う。
【００３１】
この画像プリントシステムのパーソナルコンピュータ１００には、プリント画像や画像データに、画像の同一性を確認するための認証情報を付ける機能も組み込まれており、本発明はこの機能に関わるものである。
【００３２】
以下、パーソナルコンピュータ１００について説明する。
【００３３】
この図１に示すように、パーソナルコンピュータ１００は、ＣＰＵ、主記憶装置、ハードディスク、通信用ボード等が内蔵された本体１０１、この本体１０１からの指示により表示画面１０２ａ上に画面や文字列の表示を行うＣＲＴディスプレイ１０２、このパーソナルコンピュータ１００にユーザの指示や文字情報を入力するためのキーボード１０３、上記表示画面１０２ａ上の任意の位置を指定することにより、その指定時にその位置に表示されていたアイコン等に応じた指示を入力するマウス１０４を備えている。
【００３４】
本体１０１には、ＣＤ−ＲＯＭ２００やＣＤ−Ｒが取り出し自在に装填され、そのように装填されたＣＤ−ＲＯＭ２００やＣＤ−Ｒに記憶された情報を再生するＣＤ−ＲＯＭドライブが内蔵されている。また、本体１０１には、光磁気ディスク（ＭＯ）２１０（図１には図示せず；図２参照）が取り出し自在に装填され、そのように装填されたＭＯ２１０に対し情報の記録再生を行うＭＯドライブも内蔵されている。
【００３５】
図２は、図１に示すパーソナルコンピュータのハードウェア構成図である。
【００３６】
このハードウェア構成図には、ＣＰＵ（中央演算処理装置）１１１、ＲＡＭ１１２、ＨＤＤ（ハードディスクドライブ）１１３、ＭＯドライブ１１４、およびＣＤ−ＲＯＭドライブ１１５が示されており、それらはバス１１０で相互に接続されている。
【００３７】
ＨＤＤ１１３は、記録媒体の一種であるハードディスク２２０を内蔵しており、このハードディスク２２０に対し情報の記録再生を行う。
【００３８】
また、図２には、図示しない複数のＩ／Ｏインターフェースそれぞれを介してバス１１０に接続された、マウス１０４、キーボード１０３、ＣＲＴディスプレイ１０２、デジタルカメラ３００、およびプリンタ４００が示されている。
【００３９】
ここでは、ＣＤ−ＲＯＭ２００に、本発明の画像認証プログラムの一実施形態が記憶されている。このＣＤ−ＲＯＭ２００は本体１０１内に装填され、そのＣＤ−ＲＯＭ２００に記憶された画像認証プログラムがＣＤ−ＲＯＭドライブ１１５によって読み込まれ、バス１１０を経由してハードディスク２２０内にインストールされる。
【００４０】
このハードディスク２２０内にインストールされた画像認証プログラムが起動されると、このハードディスク２２０内の画像認証プログラムはＲＡＭ１１２にロードされ、ＣＰＵ１１１により実行される。本発明の画像認証プログラムの一実施形態が起動されて実行されると、パーソナルコンピュータ１００は、本発明の画像認証装置の一実施形態として動作する。つまり、ここでは、パーソナルコンピュータ１００と、本発明の画像認証プログラムの一実施形態とが結合することにより、本発明の画像認証装置の一実施形態を構成している。
【００４１】
なお、ＣＤ−ＲＯＭ２００には、画像の色変換やページの編集などを行う編集ツールのプログラムも記憶されており、このプログラムもハードディスク２２０内にインストールされ、この編集ツールのプログラムが起動されて実行されると、パーソナルコンピュータ１００は編集ツールとして動作する。この編集ツールとしての動作については本発明の主題ではないのでこれ以上の説明は省略する。
【００４２】
図３は、本発明の画像認証プログラムの一実施形態を示す図である。ここでは、この画像認証プログラム５００は、ＣＤ−ＲＯＭ２００に記憶されている。
【００４３】
本発明の画像認証プログラムを記憶する記憶媒体はＣＤ−ＲＯＭに限られるものではなく、それ以外の光ディスク、ＭＯ、フロッピー（登録商標）ディスク、磁気テープなどの記憶媒体であってもよい。また、本発明の画像認証プログラムは、記憶媒体を介さずに、通信網を介して直接にパーソナルコンピュータに供給されるものであってもよい。
【００４４】
この画像認証プログラム５００は、図１に示すパーソナルコンピュータ１００内で実行され、そのパーソナルコンピュータ１００を画像認証装置として動作させるものであり、取得部５１０とＭＤ５処理部５２０とデータ埋込部５３０と情報書込部５４０とソフト出力部５５０とハード出力部５６０とを有する。
【００４５】
この画像認証プログラム５００の各要素の詳細については後述する。
【００４６】
図４は、本発明の画像認証装置の一実施形態の機能ブロック図である。
【００４７】
この画像認証装置６００は、図３の画像認証プログラム５００が、図１に示すパーソナルコンピュータ１００にインストールされて実行されることにより構成されるものである。
【００４８】
この画像認証装置６００は取得部６１０とＭＤ５処理部６２０とデータ埋込部６３０と情報書込部６４０とソフト出力部６５０とハード出力部６６０とから構成されており、これら取得部６１０、ＭＤ５処理部６２０、データ埋込部６３０、情報書込部６４０、ソフト出力部６５０、およびハード出力部６６０は、図３に示す画像認証プログラム５００を構成する、取得部５１０、ＭＤ５処理部５２０、データ埋込部５３０、情報書込部５４０、ソフト出力部５５０、およびハード出力部５６０それぞれによってパーソナルコンピュータ１００上に構成されている。このように、図４に示す画像認証装置６００の各要素は、図３に示す画像認証プログラム５００の各要素にそれぞれ対応するが、図４の各要素は、図１に示すパーソナルコンピュータ１００のハードウェアとそのパーソナルコンピュータで実行されるＯＳやアプリケーションプログラムとの組合せで構成されているのに対し、図３に示す各要素はそれらのうちのアプリケーションプログラムのみにより構成されている点が異なる。
【００４９】
これら取得部６１０、ＭＤ５処理部６２０、データ埋込部６３０、情報書込部６４０、ソフト出力部６５０、およびハード出力部６６０は、それぞれ、本発明の画像認証装置における、画像取得部、認証データ作成部、認証データ作成部、文字列添付部、認証付データ格納部、および文字列添付画像出力部の各一例に相当する。
【００５０】
以下、図４に示す画像認証装置６００の各要素を説明することによって、図３に示す画像認証プログラム５００の各要素も合わせて説明する。
【００５１】
図４の画像認証装置６００を構成する取得部６１０は図１に示すデジタルカメラ３００などから入手され、色変換やページ編集などを経た、認証対象の画像を表した画像データを、上述した編集ツールから取得する。
【００５２】
ＭＤ５処理部６２０は、取得部６１０で取得された画像データに対して、所定のハッシュテーブルに従った演算を行うＭＤ５処理を施して１６個の１６進数からなる認証値を算出する。この認証値は、元のデータのほんの一部が変化した場合であっても値が変化するように工夫されたものであり、データの同一性の確認に適している。ここで演算の対象となるデータは、画像を構成する画素値集合のデータであって、取得部６１０で取得された画像データがそのような画素値の集合を圧縮した圧縮データである場合には、その圧縮を解いたデータに対して演算が施される。また、演算の対象となるデータは、画像データファイル中の、純粋に画像を表したデータ部分であって、画像に添付されたＩＣＣプロファイルのデータなどは演算対象から除外される。
【００５３】
データ埋込部６３０では、ＭＤ５処理部６２０によって得られた１６個の１６進数からなる認証値が、画像データファイル中に含まれているＩＣＣプロファイルに埋め込まれる。
【００５４】
図５は、データ埋込部６３０によって認証値が埋め込まれた画像データのファイル構造を示す図である。
【００５５】
画像データのファイル７００は、純粋に画像を表したデータが格納された画像部分７１０と、その画像のＩＣＣプロファイルが格納されたプロファイル部分７２０とで構成されており、プロファイル部分７２０には、ＩＣＣプロファイルの所定のタグにＭＤ５の認証データが埋め込まれている。このようなタグは、ＩＣＣプロファイルの規約に元々用意されているものであり、ＩＣＣプロファイルを用いることを想定した画像データのファイルであれば、ファイル形式が変更されてもこのタグの存在が保証される。
【００５６】
このように図４のデータ埋込部６３０によって認証値が埋め込まれた画像データはソフト出力部６５０に送られて記録媒体（本実施形態ではＭＯ）にその画像データが記録される。
【００５７】
一方、情報書込部６４０では、ＭＤ５処理部６２０によって得られた１６個の１６進数からなる認証値を記述した文字列が、画像データが表す画像に並べられて文字列添付画像が作成される。
【００５８】
図６は、情報書込部６４０によって作成された文字列添付画像を示す図である。
【００５９】
文字列添付画像８００中では、元の画像データが表す画像８１０と、１６個の１６進数からなる認証値を記述した文字列８２０が並んでいる。このような文字列添付画像８００によれば、画像８１０の元になった画像データを、文字列８２０が表した認証値によって特定することができる。
【００６０】
このような文字列添付画像８００を作成した図４の情報書込部６４０は、文字列添付画像８００を表した画像データをハード出力部６６０に送り、ハード出力部６６０は、その画像データを図１に示すプリンタ４００に向けて出力することによってその画像が表す文字列添付画像８００をプリントさせる。
【００６１】
このように画像認証装置６００が働くことによって、図１に示す画像プリントシステムでは、図５に示すようなファイル構造の画像データファイルが記録されたＭＯと、図６に示すような構造の文字列添付画像のプリントが得られ、これらのＭＯとプリントは、一緒あるいは別々に、印刷工程などの後工程へと送られ、後工程では、プリントに記載されている文字列が表す認証値と、画像データファイル中の認証値とを比較することで画像の同一性を確認することができる。なお、後工程にＭＤ５処理を行う装置が用意されている場合には、画像データに埋め込まれた認証値は必須ではなく、画像データが表した画素値の集合に対してＭＤ５処理が施されることによって得られる認証値によっても同一性の確認が可能である。
【００６２】
なお、上記説明では、本発明の一実施形態として、記録媒体への画像データファイルの記録と、画像のプリントとの双方を実現する画像認証装置が示されているが、本発明の画像認証装置は、画像のプリントのみを実現するものであってもよい。
【図面の簡単な説明】
【００６３】
【図１】本発明の一実施形態が適用される画像プリントシステムを示す図である。
【図２】図１に示すパーソナルコンピュータのハードウェア構成図である。
【図３】本発明の画像認証プログラムの一実施形態を示す図である。
【図４】本発明の画像認証装置の一実施形態の機能ブロック図である。
【図５】データ埋込部によって認証値が埋め込まれた画像データのファイル構造を示す図である。
【図６】情報書込部によって作成された文字列添付画像を示す図である。
【符号の説明】
【００６４】
１００    パーソナルコンピュータ
１０１    本体部
１０２ａ    表示画面
１０２    ＣＲＴディスプレイ
１０３    キーボード
１０４    マウス
１１１    ＣＰＵ（中央演算処理装置）
１１２    ＲＡＭ
１１３    ＨＤＤ（ハードディスクドライブ）
１１４    ＭＯドライブ
１１５    ＣＤ−ＲＯＭドライブ
１１０    バス
２００    ＣＤ−ＲＯＭ
２１０    光磁気ディスク（ＭＯ）
２２０    ハードディスク
３００    デジタルカメラ
４００    プリンタ
５００    画像認証プログラム
５１０    取得部
５２０    ＭＤ５処理部
５３０    データ埋込部
５４０    情報書込部
５５０    ソフト出力部
５６０    ハード出力部
６００    画像認証装置
６１０    取得部
６２０    ＭＤ５処理部
６３０    データ埋込部
６４０    情報書込部
６５０    ソフト出力部
６６０    ハード出力部
【図１】
2006287466.tif 000003
【図２】
2006287466.tif 000004
【図３】
2006287466.tif 000005
【図４】
2006287466.tif 000006
【図５】
2006287466.tif 000007
【図６】
2006287466.tif 000008